(57)【要約】【課題】作業者がドアを開放して荷物の搬入、搬出作業を行う際に、保冷庫内の温度上昇を抑制すること。【解決手段】冷凍車エアカーテンは、保冷庫１のドア１４の下方位置に複数の空気吹出口１５を列配置し、ドア１４の開放時に各空気吹出口１５から空気を上方へ吹出す。複数の空気吹出口１５に沿って複数の障害物センサ１９を設けるとともに各空気吹出口１５を閉塞し得るダンパ２０を設ける。ドア１４の開放時にいずれかの障害物センサ１９Ａが障害物２５を検知したとき、障害物２５を検知した障害物センサ１９Ａに対応する空気吹出口１５Ａをダンパ２０Ａにより閉塞する。【選択図】図５
2004044844.tif 000002
【特許請求の範囲】
【請求項１】
保冷庫のドアの下方位置に複数の空気吹出口を列配置し、前記ドアの開放時に各空気吹出口から空気を上方へ吹出す冷凍車エアカーテンにおいて、
前記複数の空気吹出口に沿って複数の障害物センサを設けるとともに各空気吹出口を閉塞可能なダンパを設け、前記ドアの開放時に前記いずれかの障害物センサが障害物を検知したとき、当該障害物を検知した障害物センサに対応する空気吹出口を前記ダンパにより閉塞することを特徴とする冷凍車エアカーテン。
【発明の詳細な説明】
【０００１】
【発明の属する技術分野】
本発明は、冷凍車の保冷庫のドア開放時に、保冷庫内の温度上昇を抑制するための冷凍車エアカーテンに関する。
【０００２】
【従来の技術】
従来、特開平１１−２１１３０９号公報に開示されるように、冷凍車の保冷庫のドアの下方位置に複数の空気吹出口を列配置し、ドアの開放時に各空気吹出口から空気を上方へ吹出すことにより、保冷庫内の冷気漏れを防止し、保冷庫内の温度上昇を抑制する冷凍車エアカーテンが知られている。
【０００３】
【発明が解決しようとする課題】
しかし、上記従来技術において、作業者がドアを開放して荷物の搬入、搬出作業を行う際、吹出口からの空気流が作業者や荷物など障害物に当たることによってその流れ方向が変化し、空気流が保冷庫内に侵入して保冷庫内の温度が上昇するという問題が発生する。
【０００４】
本発明は、上記のような従来技術の問題点を解決し、作業者がドアを開放して荷物の搬入、搬出作業を行う際に、保冷庫内の温度上昇を抑制することができる冷凍車エアカーテンを提供することを目的とする。
【０００５】
【課題を解決するための手段】
請求項１に係る冷凍車エアカーテンは、ドアの開放時にいずれかの障害物センサが障害物を検知したとき、当該障害物を検知した障害物センサに対応する空気吹出口をダンパにより閉塞するようにした。このため、閉塞された空気吹出口からは空気が吹出されず、障害物に空気流が当たらなくなるため、空気流の保冷庫内への侵入を防止でき、保冷庫内の温度上昇を抑制することができる。
【０００６】
【発明の実施の形態】
以下、本発明の実施形態を図面に基づいて説明する。
【０００７】
図１は、冷凍車における冷凍システム図、図２は、本発明の一実施形態に係る冷凍車エアカーテンの送風系統図、図３は、同冷凍車エアカーテンの各空気吹出口の概念図、図４は、各空気吹出口の変形例の概念図、図５は、上記冷凍車エアカーテンの作用説明図をそれぞれ示す。
【０００８】
図１に示すように、冷凍車の保冷庫１の前部には、圧縮機２、油分離器３、凝縮器４、受液器５、膨張弁６、蒸発器７、低圧液分離器８、油戻し調整絞り９からなる冷凍システムが搭載されており、保冷庫１内部の蒸発器７内部を流れる冷媒の蒸発潜熱により保冷庫１内が冷却される。なお、符号１０は凝縮器用ファン、１１は蒸発器用ファン、１２は冷凍スイッチ、１３は制御装置を表している。
【０００９】
また、保冷庫１に荷物を搬入、搬出するために設けられている保冷庫後部の開口部１ａの下方位置つまり開口部１ａを開閉するドア１４の下方位置には、図２及び図５に示すように、上方へ開口した複数の空気吹出口１５が列配置されている。各空気吹出口１５は、図２に示すように、ダクト１６の出口に配され、ダクト１６内には、外気をダクト１６内に取り入れて空気吹出口１５へ送風する送風機１７が配されている。また、図５に示すように、保冷庫１の開口部１ａには、ドア１４の開放を検知するためのドアスイッチ１８が設けられている。
【００１０】
各空気吹出口１５の近傍には、図２に示すように、作業者や荷物など障害物を検知するための障害物センサ１９が設けられているとともに、各空気吹出口１５はダンパ２０によって閉塞可能とされている。障害物センサ１９は、例えば光電式センサによって構成される。ダンパ２０は、例えば図３に示すような回転式ドア２１又は図４に示すようなスライド式ドア２２によって構成され、通常は空気吹出口１５を開放状態に保ち、障害物センサ１９が障害物を検知したときに空気吹出口１５を閉塞状態にする。
【００１１】
上記構成の冷凍車において、エンジン（図示せず）をオフし又は冷凍スイッチ１２をオフすると、凝縮器用ファン１０及び蒸発器用ファン１１はいずれも停止し、保冷庫１内に強制的な冷気の流れが発生しない状態となる。この状態でドア１４を開放すると、ドアスイッチ１８がオンし、制御装置１３により送風機１７が作動し、ダクト１６内に外気が取り込まれ、各空気吹出口１５から空気が上方へ吹出される。この上方への空気流により、保冷庫１内の冷気はこの空気流の内側に沿って上昇し、再び保冷庫１の内部へ戻るようになり、保冷庫１内の温度上昇を抑制することができる。
【００１２】
図５（Ｂ）に示すように、ドア１４の開放時に、いずれかの障害物センサ１９Ａが障害物２５を検知すると、制御装置１３は、当該障害物センサ１９Ａが設けられている空気吹出口１５Ａを閉塞し得るダンパ２０Ａを作動し、ダンパ２０Ａは当該空気吹出口１５Ａを閉塞する。このため、この空気吹出口１５Ａから空気が上方へ吹出されなくなり、障害物２５に空気流が当たらなくなる。したがって、従来技術において発生していた不具合、つまり、開放状態の空気吹出口１５Ａから吹出された空気流が障害物２５に当たることによってその流れが変化して保冷庫１内に侵入し、保冷庫１内の温度を上昇させる不具合が発生しなくなり、保冷庫１内の温度上昇を抑制することができるようになる。
【００１３】
その後、障害物２５がなくなると、障害物センサ１９Ａが障害物２５を検知しなくなることによって、制御装置１３はダンパ２０Ａを元の状態に戻し、空気吹出口１５Ａは開放状態に戻り、空気が上方へ吹出されるようになる。
【００１４】
以上説明したように、本実施形態に係る冷凍車エアカーテンは、保冷庫１のドア１４の下方位置に複数の空気吹出口１５を列配置し、ドア１４の開放時に各空気吹出口１５から空気を上方へ吹出す冷凍車エアカーテンにおいて、複数の空気吹出口１５に沿って複数の障害物センサ１９を設けるとともに各空気吹出口１５を閉塞し得るダンパ２０を設け、ドア１４の開放時にいずれかの障害物センサ１９Ａが障害物２５を検知したとき、障害物２５を検知した障害物センサ１９Ａに対応する空気吹出口１５Ａをダンパ２０Ａにより閉塞するよう構成される。このため、閉塞された空気吹出口１５Ａからは空気が吹出されず、障害物２５に空気流が当たらなくなるため、空気流の保冷庫１内への侵入を防止でき、保冷庫１内の温度上昇を抑制することができる。
【００１５】
【発明の効果】
本発明の冷凍車エアカーテンによると、作業者がドアを開放して荷物の搬入、搬出作業を行う際に、保冷庫内の温度上昇を抑制することができるようになる。
【図面の簡単な説明】
【図１】冷凍車における冷凍システム図である。
【図２】本発明の一実施形態に係る冷凍車エアカーテンの送風系統図である。
【図３】同冷凍車エアカーテンの各空気吹出口の概念図である。
【図４】各空気吹出口の変形例の概念図である。
【図５】上記冷凍車エアカーテンの作用説明図である。
【符号の説明】
１　　保冷庫
１４　　ドア
１５（１５Ａ）　　空気吹出口
１９（１９Ａ）　　障害物センサ
２０（２０Ａ）　　ダンパ
２５　　障害物
【図１】
2004044844.tif 000003
【図２】
2004044844.tif 000004
【図３】
2004044844.tif 000005
【図４】
2004044844.tif 000006
【図５】
2004044844.tif 000007